(57)【要約】      （修正有）【課題】組み立てが容易であり、また、袋入りティッシュペーパの交換を短時間でできるティッシュペーパホルダを提供する。【解決手段】多数枚の折り畳まれたティッシュペーパを袋に収納してなる袋入りティッシュペーパを収容するティッシュペーパホルダを樹脂製シートを同一方向に複数回折り曲げて形成する。さらに、折り曲げ方向の先端と末端の両端縁を重ね、重畳部位を接合して前面１２、上面１３、後面１４、下面１５を有する四角筒に形成し、前記四角筒は、上面１３に前記ティッシュペーパの取り出し口１３ａを設けるとともに、筒の両端を開放して該ティッシュペーパーホルダを構成する。【選択図】図１
0003164245.tif 000002
【実用新案登録請求の範囲】
【請求項１】
多数枚の折り畳まれたティッシュペーパを袋に収納してなる袋入りティッシュペーパを収容するティッシュペーパホルダであって、
樹脂製シートを同一方向に複数回折り曲げ、折り曲げ方向の先端と末端の両端縁を重ね、重畳部位を接合して前面、上面、後面、下面を有する四角筒に形成され、前記四角筒は、上面に前記ティッシュペーパの取り出し口が設けられているとともに、筒の両端が開放されてなることを特徴とするティッシュペーパホルダ。
【請求項２】
前記四角筒の前面と後面において、中間の高さの位置に水平な直線状の折り目を設け、該折り目の位置で外側を谷折りすることで、前記折り目の位置で前記四角筒の内面を内側に突出させて、高さ調整するとともに前記四角筒の内側に突出する内面の前記折り目により、前記四角筒の筒内に上下の境を設けるように構成したことを特徴とする請求項１に記載のティッシュペーパホルダ。
【考案の詳細な説明】
【技術分野】
【０００１】
本考案は、樹脂フィルムや紙製の袋に、多数枚の折り畳まれたティッシュペーパを収納してなる袋入りティッシュペーパを収容するティッシュペーパホルダに関するものである。
【背景技術】
【０００２】
ティッシュペーパケースは、袋入りティッシュペーパを収容して使用され、ティッシュペーパが消費されると新しい袋入りティッシュペーパを詰め替えて補充することができる。
【考案の概要】
【考案が解決しようとする課題】
【０００３】
従来のティッシュペーパケースは、樹脂製の単一シートを折り畳んで、市販のティッシュペーパ箱と略同形に組み立てて使用されるもので、前面、後面、上面、下面を有する四角筒に形成され、この四角筒の両端面を閉塞する構成であり、上面にティッシュペーパの取り出し口が設けられている。
【０００４】
そのため、従来のティッシュペーパケースは、袋入りティッシュペーパの交換の際に、四角筒の両端面を一度開放して、開口を形成し、袋入りティッシュペーパを収容した後、再び、閉塞しているので、袋入りティッシュペーパの交換に時間がかかり改善が望まれていた。
【０００５】
本考案は上記課題を解決するもので、組み立てが容易であり、また、袋入りティッシュペーパの交換を短時間でできるティッシュペーパホルダを提供するものである。
【課題を解決するための手段】
【０００６】
前記課題を解決するために請求項１記載の考案は、多数枚の折り畳まれたティッシュペーパを袋に収納してなる袋入りティッシュペーパを収容するティッシュペーパホルダであって、樹脂製シートを同一方向に複数回折り曲げ、折り曲げ方向の先端と末端の両端縁を重ね、重畳部位を接合して前面、上面、後面、下面を有する四角筒に形成され、前記四角筒は、上面に前記ティッシュペーパの取り出し口が設けられているとともに、筒の両端が開放されてなることを特徴とするティッシュペーパホルダである。
【０００７】
また、請求項２記載の考案は、前記四角筒の前面と後面において、中間の高さの位置に水平な直線状の折り目を設け、該折り目の位置で外側を谷折りすることで、前記折り目の位置で前記四角筒の内面を内側に突出させて、高さ調整するとともに前記四角筒の内側に突出する内面の前記折り目により、前記四角筒の筒内に上下の境を設けるように構成したことを特徴とする請求項１に記載のティッシュペーパホルダである。
【考案の効果】
【０００８】
本考案のティッシュペーパホルダは、樹脂製シートの組み立てが容易であり、また、袋入りティッシュペーパの交換が短時間でできる。
【０００９】
また、本考案のティッシュペーパホルダ１は、上下の境用の折り目で外側を谷折りすることで、四角筒の内側に突出する内面の折り目により筒内に上下の境が設けられる。こうすることで、例えば、少ない枚数の折り畳まれたティッシュペーパを、筒内の上方に移動させて上部に収容すれば、端部の開口から脱落しないように保持させることができる。
【図面の簡単な説明】
【００１０】
【図１】本考案の実施例１によるティッシュペーパホルダの斜視図である。
【図２】実施例１のティッシュペーパホルダの展開図である。
【考案を実施するための形態】
【００１１】
以下、図面に基づいて本考案の実施の形態を説明する。
【実施例１】
【００１２】
図１は、本考案の実施例１によるティッシュペーパホルダの斜視図、図２は、実施例１のティッシュペーパホルダの展開図である。
【００１３】
図１，図２において、ティッシュペーパホルダ１は、樹脂製シート１０で形成されている。樹脂製シート１０は、略長さの等しい４つの直線状の折り目１０ａ，１０ｂ，１０ｃ，１０ｄが並行して設けられている。
【００１４】
樹脂製シート１０は、折り目１０ａ，１０ｂ，１０ｃ，１０ｄで仕切られて、左端から順に、接合面１１，前面１２，上面１３，後面１４，下面１５が連続して設けられている。接合面１１は、幅が狭い台形又は長方形であり、前面１２と後面１４は、接合面１１より幅が広く、大きさの等しい長方形であり、また、上面１３と下面１５は、他の面より幅が広く、大きさの等しい長方形である。そして、上面１３の中央には、ティッシュペーパの取り出し口としての開口１３ａが設けられている。開口１３ａは、細長い楕円形又は角部を丸く形成したひし形である。
【００１５】
また、樹脂製シート１０は、前面１２において、上辺の折り目１０ａと下辺の折り目１０ｂとの中間の高さ位置に水平な直線状の折り目２０ａが上下辺の折り目１０ａ，１０ｂと並行に設けられている。そして、前面１２に対向する後面１４においても、上辺の折り目１０ｃと下辺の折り目１０ｄとの中間の高さ位置に水平な直線状の折り目２０ｂが１０ｃ，１０ｄと並行に設けられている。折り目２０ａ，２０ｂは、四角筒の筒内における上下の境用の折り目である。
【００１６】
樹脂製シート１０において、前面１２，上面１３，後面１４，下面１５の各角部は、丸く円弧状に形成され、また、接合面１１は、ティッシュペーパホルダ１に組み立てるときに、折り目１０ａに近接する角部が下面１５の端側の角部と重なった状態で接合される。そのため、接合面１１の折り目１０ａに近接する角部は、下面１５の端側の角部と同形に丸く形成されている。
【００１７】
樹脂製シート１０は、各折り目１０ａ，１０ｂ，１０ｃ，１０ｄに沿って同一方向に略９０度の角度に全て山折り（又は全て谷折り）に４回折り曲げられ、折り曲げ方向先端の接合面１１と末端の下面１５とを重ね、接合面１１と下面１５の重畳部位である各端縁同士を溶着してティッシュペーパホルダ１に形成される。
【００１８】
ティッシュペーパホルダ１は、筒の両端が開放されて、筒の両端に開口１６ａ，１６ｂを有する四角筒形状であり、端部（側部）の組み立てが不要なため、組み立てが容易である。
【００１９】
また、ティッシュペーパホルダ１は、袋入りティッシュペーパを開口１６ａ，１６ｂのいずれかから差し入れて、筒内に保持させることで袋入りティッシュペーパがティッシュペーパホルダ１へ装着される。ティッシュペーパホルダ１は、前面１２，上面１３，後面１４，下面１５の各角部が略９０度の円弧状に形成されているので、袋入りティッシュペーパを開口１６ａ，１６ｂのいずれかから差し入れる際に、端部開口１６ａ，１６ｂの周縁の角部が使用者の手に触れても、端部開口１６ａ，１６ｂの周縁の角部は、丸く形成されているので、使用者の手を傷つけることがなく安全である。
【００２０】
ティッシュペーパホルダ１へ装着された袋入りティッシュペーパは、上面１３の中央に設けられた取り出し口としての開口１３ａから必要に応じて取り出せるものである。
【００２１】
このようにティッシュペーパホルダ１は、筒の両端が開放されているので、袋入りティッシュペーパを収容する際に、袋入りティッシュペーパを保持させるだけであるので、袋入りティッシュペーパの交換の際に、端部の組み立てが不要なため、交換が短時間ですむものである。
【００２２】
また、ティッシュペーパホルダ１へ装着された袋入りティッシュペーパは、袋に収納されている折り畳まれたティッシュペーパが使用されて減ってきたら、折り目２０ａ，２０ｂで外側を谷折りする。
【００２３】
ティッシュペーパホルダ１は、筒内において、折り目２０ａ，２０ｂの位置で内面が山折りされて中間の高さの位置に突出する。この突出する内面の折り目２０ａ，２０ｂにより、ティッシュペーパホルダ１の筒内に上下の境が設けられる。この状態において、少ない枚数の折り畳まれたティッシュペーパを、筒内の上方に移動させて上部に収容すれば、取り出し口の開口１３ａから取り出せるし、また、ティッシュペーパを端部の開口１６ａ，１６ｂから脱落しないように保持することができる。
【符号の説明】
【００２４】
１  ティッシュペーパホルダ
１０  樹脂製シート
１０ａ，１０ｂ，１０ｃ，１０ｄ，２０ａ，２０ｂ  直線状の折り目
１１  接合面
１２  前面
１３  上面
１３ａ  開口
１４  後面
１５  下面
１６ａ，１６ｂ  開口
【図１】
0003164245.tif 000003
【図２】
0003164245.tif 000004